(57)【要約】【課題】移動体通信端末１のタッチパネル操作用ペンをアンテナとして動作させる場合において、アンテナ特性は確保するとともに複数の周波数帯域に対応させる。【解決手段】本発明のタッチパネル搭載の移動体通信端末１は、移動体通信端末本体１着脱可能でタッチパネルを操作する操作用ペン４と、端末本体内部に操作用ペンと無線回路部とを接続する手段を備え、操作用ペン４は、端末本体に装着時はアンテナとして動作し、さらに伸縮自在に構成されることにより、使用する周波数に応じて長さを調節する。【選択図】図1
2006173700.tif 000002
【特許請求の範囲】
【請求項１】
タッチパネル搭載の移動体通信端末において、
前記端末本体に着脱可能でタッチパネルを操作する操作用ペンと、
前記端末本体内部に前記操作用ペンと無線回路とを接続する手段を備え、
前記操作用ペンは、前記端末本体に装着時はアンテナとして動作し、伸縮自在に構成されて使用する周波数に応じて長さを調節することを特徴とする移動体通信端末。
【請求項２】
タッチパネル搭載の移動体通信端末において、
前記移動体通信端末本体に着脱可能でタッチパネルを操作する操作用ペンと、
前記端末本体内部に前記操作用ペンと無線回路部とを接続する手段を備え、
前記操作用ペンは、前記端末本体に装着時はアンテナとして動作するとともに、複数に分割可能に構成されて使用する周波数に応じて長さを調節することを特徴とする移動体通信端末。
【請求項３】
請求項２記載の前記端末本体に前記操作用ペンの装着部２つを備え、
前記操作用ペンを２つに分割して前記装着部にそれぞれ装着し、
分割した前記操作用ペンの一方は前記端末本体内部の前記無線回路部と接続し、
他方の前記操作用ペンは前記端末内部の基板上のグランドに接続し、
２つの操作用ペンはダイポールアンテナとして動作することを特徴とする移動体通信端末。
【請求項４】
請求項２記載の前記端末本体に前記操作用ペンの装着部と、
複数の無線回路部と、
前記複数の無線回路部と接続する制御部と、を備え、
前記操作用ペンを複数に分割可能に構成し、
複数に分割した前記操作用ペンは、前記端末本体に装着されて、それぞれ複数の前記無線回路部のうちいずれか１つと接続し、
前記制御部は前記無線回路部のうちいずれか１つの無線回路部を選択することを特徴とする移動体通信端末。
【請求項５】
タッチパネル搭載の移動体通信端末において、
前記移動体通信端末本体に着脱可能でタッチパネルを操作する操作用ペンと、
前記操作用ペンを収納するホルダーと、
前記端末本体内部に前記操作用ペンと無線回路部とを接続する手段と、を備え、
前記操作用ペンは、前記端末本体に装着時はアンテナとして動作するとともに、
前記操作ペンを前記ホルダーに対して、逆向きに挿入すると、端末内の無線回路部と上記操作用ペンが接続される構成を備えることを特徴とする移動体通信端末。
【請求項６】
前記操作用のペンに目盛りを印刷し、定規として使用する手段を備えることを特徴とする請求項１から請求項５のいずれかに記載の移動体通信端末。
【発明の詳細な説明】
【技術分野】
【０００１】
本発明は、移動体通信端末で利用するタッチパネル操作用ペンを、アンテナとして動作させることに関する。
【背景技術】
【０００２】
従来のタッチパネルを搭載した移動体通信端末では、図８に示すように、付属のタッチパネル操作専用ペンでタッチパネルの操作が可能であり、端末本体の適当な位置に収納可能に設けられ、端末本体と取り外し可能な送受信用アンテナとしても動作できる（例えば特許文献１参照）。
【特許文献１】特開平９―３２６７１９号公報
【発明の開示】
【発明が解決しようとする課題】
【０００３】
しかしながら、従来技術における操作用ペンのアンテナは一つの周波数にのみ対応する構造である。近年のＢｌｕｅｔｏｏｔｈ（登録商標）や無線ＬＡＮ（Ｌｏｃａｌ  Ａｒｅａ  Ｎｅｔｗｏｒｋ）やＧＰＳ（Ｇｌｏｂａｌ  Ｐｏｓｉｔｉｏｎｉｎｇ  Ｓｙｓｔｅｍ）等の通信手段の増加により、無線通信で使用する周波数帯域が拡大し、従来構造の操作用ペンのアンテナ１つですべての周波数帯域をカバーすることは困難である。
本発明は、上記事情に鑑みてなされたもので、拡大する周波数帯域をカバーするために操作用ペンを伸縮可能な形状、あるいは分割可能な構成とし、アンテナ長を変化させることにより複数の周波数に対応可能で、かつ、高い無線特性を確保する移動体通信端末を提供することを目的とする。
【課題を解決するための手段】
【０００４】
前記従来の課題を解決するために、本発明のタッチパネル搭載の移動体通信端末は、移動体通信端末本体に着脱可能でタッチパネルを操作する操作用ペンと、端末本体内部に前記操作用ペンと無線回路部とを接続する手段を備え、操作用ペンは、端末本体に装着時はアンテナとして動作するとともに伸縮自在に構成されることにより、使用する周波数に応じて長さを調節するよう構成している。
この構成により、操作用ペンは簡単な調整で複数の周波数に対応するアンテナとして動作することができる。
【０００５】
また、本発明のタッチパネル搭載の移動体通信端末は、移動体通信端末本体に着脱可能でタッチパネルを操作する操作用ペンと、端末本体内部に前記操作用ペンと無線回路部とを接続する手段を備え、操作用ペンは、端末本体に装着時はアンテナとして動作するとともに、複数に分割可能に構成されて、使用する周波数に応じて長さを調節できるよう調整している。
この構成により、操作用ペンは簡単な調整で複数の周波数に対応するアンテナとして動作することができる。
【０００６】
また、本発明の端末本体には、前記操作用ペンの装着部を２つ備え、操作用ペンを２つに分割して前記装着部にそれぞれ装着し、分割した操作用ペンの一方は前記端末本体内部の前記無線回路部と接続し、他方は基板上のグランドに接続し、ダイポールアンテナとして動作するよう構成している。
この構成により、放射利得に優れた高いアンテナ性能が確保できる。
【０００７】
また、本発明の端末本体には、前記操作用ペンの装着部と無線回路部を複数備え、操作用ペンを複数に分割し、複数に分割した前記操作用ペンを前記本体端末にそれぞれ装着し、それぞれ複数の前記無線回路部と接続し、その中から１つの無線回路部を選択する制御する手段を備える。
この構成により、電波状況を検知し、その状況に適したアンテナ、無線回路部を選択することができる。
【０００８】
また、本発明のタッチパネル搭載の移動体通信端末は、移動体通信端末本体に着脱可能でタッチパネルを操作する操作用ペンと操作用ペンを収納するホルダーを備え、端末本体内部に操作用ペンと無線回路部とを接続する手段を備え、操作用ペンは、前記端末本体に装着時はアンテナとして動作するとともに、ホルダーから前記操作ペンを引き抜き、逆向きに挿入することにより、端末内の無線回路部と上記操作用ペンを接続する手段を備えている。
この構成により、操作用ペンを移動体端末本体に装着すると共にアンテナとして動作させることができる。
【０００９】
また、本発明の操作用ペンには、目盛りを印刷し、定規として使用する手段を備える。
この構成により、利用者は容易に所望の周波数にて通信することができる。
【発明の効果】
【００１０】
本発明の移動体通信端末によれば、拡大する周波数帯域をカバーするために筐体内にアンテナを増加させることなく、アンテナとして動作する操作用ペンの長さを調整あるいは分割することにより、複数の周波数に対応できる。さらに、操作用ペンに各アプリケーション（通信方式）の周波数に対応する長さごとに印字をすることで、利用者は容易に長さを合わせることが可能となり、より高い無線特性を確保することができる。また、このように複数の周波数に対応するアンテナと、操作用ペンを兼ねたことにより、タッチパネル入力機能を搭載しながらも、簡単な構成で、小型化、薄型化および軽量化された移動体通信端末を提供することができる。
【発明を実施するための最良の形態】
【００１１】
以下、本発明を実施するための最良の形態について、図面を参照しながら説明する。
【００１２】
（第１の実施形態）
本発明の第１の実施形態における移動体通信端末の斜視図を図１（ａ）に、拡大図を図１（ｂ）に示す。
【００１３】
本発明の第１の実施形態における移動体通信端末は、図１に示すように、筐体１と、伸縮可能で筐体１に着脱可能な操作用ペン４で構成される。操作用ペン２は筐体１に配置された固定用ネジ穴３に操作用ペン４の固定用ネジ２を挿入して固定する。筐体１に伸縮可能な操作用ペン４を固定すると、筐体１内部の無線部と接続し、操作用ペン４は給電されてアンテナとして動作する。さらに、操作用ペン４は、伸縮することによりそのアンテナ長が変化するので、複数の周波数帯に対応することができる。また、操作用ペン４自体に対応する周波数帯が印字１０されているため、その印字１０に合わせ長さを調節できる。例えば、Ｂｌｕｅｔｏｏｔｈ（登録商標）のアプリケーションを使用したい場合、図１（ｂ）に示すように、操作用ペン４の伸縮を“Ｂｌｕｅｔｈｏｏｔｈ”の印字があるところに長さを合わせると、Ｂｌｕｅｔｏｏｔｈ（登録商標）の通信が可能な周波数帯に調整される。なお本実施形態では、固定用ネジ穴３の配置をヒンジ部として説明しているが、本発明の移動体通信端末に配置される固定用ネジ穴３の配置は、ヒンジ部に限定されるものではない。
【００１４】
伸縮可能操作用ペン４は内部に金属線を配置し、固定用ネジ２と接続されている。
【００１５】
図２は、操作ペンの装着部の断面図である。図２において、筐体１に配置された固定用ネジ穴３には接触用ピン７を用い基板６に接続する。この接触用ピン７と図１が示す固定用ネジ２が接触することにより、図１が示す操作用ペン２の内部に配置された金属線と接続される。
【００１６】
（第２の実施形態）
本発明の第２の実施形態における移動体通信端末の斜視図を図３（ａ）に、拡大図を図３（ｂ）に示す。
【００１７】
本発明の実施の形態の移動体通信端末は、図３に示す通り筐体１と分割可能な形状を施した操作用ペン８で構成される。分割固定用ネジ１０を分割固定用ネジ穴９から着脱可能とし、筐体１に固定する操作用ペン８を分割することで、操作用ペン８の長さが調整可能となる。これよりアンテナ長が変化することになるので、複数の周波数に対して機能することが可能となる。また、図３（ｂ）に示すように操作用ペン８の表面に、各アプリケーションに対応する周波数帯を印字することにより、ユーザーは容易に印字５に合わせることが可能となるので、簡単にアンテナ長を調節し、所望の周波数に調節することができる。
【００１８】
（第３の実施形態）   
本発明の第３の実施形態における移動体通信端末の斜視図を図４（ａ）に、内部ブロック図を図４（ｂ）に示す。
【００１９】
本発明の実施の形態の移動体通信端末は、図４に示す通り筐体１と分割して分けられた無線回路部接続用操作用ペン１１とグランド接続用操作用ペン１２で構成される。筐体１に無線回路部接続用操作用ペン１１、グランド接続用操作用ペン１２を配置する。そして無線回路部接続用操作用ペン１１と筐体内の無線回路部１３、グランド接続用操作用ペン１２とグランド１４を接続することによりダイポールアンテナとして機能することができる。本実施形では、無線回路部接続用操作用ペン１１とグランド接続用操作用ペン１２をヒンジ部に配置しているが、これに限定するものではなく、ヒンジ部に配置しなくてもよい。
【００２０】
（第４の実施形態）
本発明の第４の実施形態における移動体通信端末の斜視図を図５（ａ）に、内部ブロック図を図５（ｂ）に示す。
本発明の実施の形態の移動体通信端末は、図５に示すように、筐体１と２つに分割した操作用ペンＡ１５と分割した操作用ペンＢ１６で構成される。筐体１に分割した操作用ペンＡ１５と分割した操作用ペンＢ１６を配置する。そして図の通り分割した操作用ペンＡ１５と無線回路部16を接続し、また分割した操作用ペンＢ１６を無線回路部１３に接続する。そして２つの無線回路部１３をアダプティブ制御回路１７に接続し、受信電波状況により適切な無線回路部１３を選択する、いわゆるアダプティブ機能を構成している。この構成により、アンテナ性能をより高く維持することができる。
【００２１】
（第５の実施形態）
本発明の第５の実施形態における移動体通信端末の正面図を図６（ａ）に、断面図を図６（ｂ）に示す。
【００２２】
図６に示すように、筐体１にペンを固定するためのペン固定用ホルダー１８を設け、操作用ペン２を固定する。操作用ペン２の内部に金属線を配置して、操作用ペン２を通常の固定装着時と逆向きに固定した場合には、操作用ペン２内部の金属線が固定用ホルダー１８の下部に設けた電気的接触点１９と接続し、アンテナとして機能する。なお、本実施形態では、固定用ホルダー１８を筐体１に配置しているが、これに限定するものではない。
【００２３】
（第６の実施形態）
本発明の第６の実施形態における移動体通信端末の操作用ペン付近の斜視図を図７に示す。
【００２４】
本発明の実施形態における移動体通信端末は、図７に示すように筐体１と操作用ペン２と操作用ペン２で構成される。筐体１に配置された操作用ペン２に目盛り２０を印刷することにより定規として使用可能となる。
【００２５】
また、以上の実施形態では、移動体通信端末として折畳み携帯端末を例に説明しているが、本発明の移動体通信端末に搭載される移動体通信端末は、これに限定するものではなく、ストレート型携帯端末や回転式携帯端末などであってもよい。
【産業上の利用可能性】
【００２６】
本発明の移動体通信端末は、タッチパネル操作用のペンを、アンテナとしても動作可能な構成とし、さらに伸縮による複数の周波数に対応可能な移動体通信端末の構成として有用である。
【図面の簡単な説明】
【００２７】
【図１】（ａ）本発明の第１の実施形態における移動体通信端末の斜視図（ｂ）本発明の第１の実施形態における移動体通信端末の拡大図
【図２】本発明の第１の実施形態における移動体通信端末の操作用ペン装着部の断面図
【図３】（ａ）本発明の第２の実施形態における移動体通信端末の斜視図（ｂ）本発明の第２の実施形態における移動体通信端末の拡大図
【図４】（ａ）本発明の第３の実施形態における移動体通信端末の斜視図（ｂ）本発明の第３の実施形態における移動体通信端末の内部ブロック図
【図５】（ａ）本発明の第４の実施形態における移動体通信端末の斜視図（ｂ）本発明の第４の実施形態における移動体通信端末の内部ブロック図
【図６】（ａ）本発明の第５の実施形態における移動体通信端末の斜視図（ｂ）本発明の第５の実施形態における移動体通信端末の断面図
【図７】本発明の第６の実施形態における移動体通信端末の操作用ペン装着部付近の斜視図
【図８】従来の実施形態を示す外観図
【符号の説明】
【００２８】
１    筐体
２    固定用ネジ
３    固定用ネジ穴
４    伸縮可能操作用ペン
５    印字
６    基板
７    接触用ピン
８    分割する操作用ペン
９    分割用固定ネジ穴
１０  分割用固定ネジ
１１  分割された無線回路部接続用操作用ペン
１２  分割されたグランド接続用操作用ペン
１３  無線回路部
１４  グランド
１５  分割された操作用ペンＡ
１６  分割された操作用ペンＢ
１７  アダプティブ制御回路
１８  操作用ペン固定ホルダー
１９  接触点板バネ
２０  目盛り
【図１】
2006173700.tif 000003
【図２】
2006173700.tif 000004
【図３】
2006173700.tif 000005
【図４】
2006173700.tif 000006
【図５】
2006173700.tif 000007
【図６】
2006173700.tif 000008
【図７】
2006173700.tif 000009
【図８】
2006173700.tif 000010